(57)【要約】【課題】生体情報の測定結果に対して被測定者に関心を持たせる。【解決手段】生体情報処理装置は、体の状態を示す生体情報を取得し（Ｓ９１）、図形の外観を構成する同種の要素ごとに異なる生体情報を対応付ける（Ｓ９２）。そして生体情報処理装置は、生体情報に対応付けられた同種の要素に対してその生体情報の大きさに応じた値を設定し（Ｓ９３）、設定した値に基づいて、同種の要素によって構成される生体図形の造形データを生成する（Ｓ９４）ことを特徴とする。【選択図】図５
2019107300.tif 000002
【特許請求の範囲】
【請求項１】
体の状態を示す生体情報を取得する取得手段と、
図形の外観を構成する同種の要素ごとに異なる生体情報を対応付ける対応付手段と、
前記取得手段により取得される生体情報に対応付けられた同種の要素に対して当該生体情報の大きさに応じた値を設定する設定手段と、
前記設定手段により設定される値に基づいて、前記同種の要素によって構成される生体図形の造形データを生成する生成手段と、
を含むことを特徴とする生体情報処理装置。
【請求項２】
請求項１に記載の生体情報処理装置であって、
前記図形の外観を構成する同種の要素は、前記生体図形の外形を構成する要素を含み、
前記設定手段が前記生体図形の外形を構成する要素に対して前記生体情報の大きさに応じた値を設定することにより前記生体図形の外形が変更される、
生体情報処理装置。
【請求項３】
請求項１又は請求項２に記載の生体情報処理装置であって、
前記設定手段は、前記生体情報の数値が特定の値に近づくほど、前記生体情報の数値の変化量に対する前記同種の要素に設定される値の変化量を大きくする、
生体情報処理装置。
【請求項４】
請求項３に記載の生体情報処理装置であって、
前記特定の値は、前記生体情報の数値に対する人数の分布の中央値、平均値、又は最頻値である、
生体情報処理装置。
【請求項５】
請求項１又は請求項２に記載の生体情報処理装置であって、
前記設定手段は、前記生体情報の数値範囲を示す所定のステップ幅ごとに前記同種の要素に異なる値を設定し、
前記ステップ幅は、前記生体情報に関する統計データに基づいて定められる、
生体情報処理装置。
【請求項６】
請求項５に記載の生体情報処理装置であって、
前記統計データは、前記生体情報の数値に対する人数の分布であり、
前記ステップ幅は、前記生体情報の数値が前記分布の中央値、平均値、又は最頻値に近づくほど、小さな値に設定される、
生体情報処理装置。
【請求項７】
請求項１から請求項６までのいずれか１項に記載の生体情報処理装置であって、
前記同種の要素は、前記生体図形を構成する色の種類、前記生体図形を構成する多面体の面数、各辺の長さ、頂点の位置、又は、前記生体図形のうち本体から放出される複数の放出物、を含む、
生体情報処理装置。
【請求項８】
請求項１から請求項６までのいずれか１項に記載の生体情報処理装置であって、
前記同種の要素は、前記生体図形を構成する多面体の色の種類、面の数、頂点の基準位置からのずれ量、及び、前記生体図形のうち前記多面体から放出される複数の球体の大きさを含み、
前記生体情報は、体の基礎代謝量、内臓脂肪レベル、筋肉量、及びバランスを含み、
前記対応付手段は、前記基礎代謝量を前記色の種類に対応付けし、前記内臓脂肪レベルを前記球体の大きさに対応付けし、前記筋肉量を前記面の数に対応付けし、前記バランスを前記頂点の基準位置からのずれ量に対応付ける、
生体情報処理装置。
【請求項９】
請求項１から請求項８までのいずれか１項に記載の生体情報処理装置であって、
前記取得手段は、前記生体情報として被測定者の属性情報を取得し、
前記設定手段は、前記属性情報に応じて、前記生体図形の色、又は大きさの基調を変更する、
生体情報処理装置。
【請求項１０】
請求項１から請求項９までのいずれか１項に記載の生体情報処理装置であって、
前記生体情報ごとに、当該生体情報の数値と前記同種の要素に設定される値とが互いに対応付けられた図形要素テーブルを記憶する記憶手段をさらに含み、
前記対応付手段は、前記取得手段により前記生体情報が取得されると、前記記憶手段に記憶された図形要素テーブルのうち、当該生体情報に対応する前記図形要素テーブルを特定し、
前記設定手段は、前記特定された図形要素テーブルに基づいて、前記取得手段により取得される生体情報の数値に対応付けられた値を前記同種の要素に設定する、
生体情報処理装置。
【請求項１１】
請求項１から請求項１０までのいずれか１項に記載の生体情報処理装置であって、
前記生成手段は、前記生体図形を表示するための表示データをさらに生成し、
前記表示データに基づいて前記生体図形を表示する表示手段をさらに含む生体情報処理装置。
【請求項１２】
生体情報を処理するコンピュータに
体の状態を示す生体情報を取得する取得ステップと、
図形の外観を構成する同種の要素ごとに異なる生体情報を対応付ける対応付ステップと、
前記取得ステップにより取得される生体情報に対応付けられた同種の要素に対して当該生体情報の大きさに応じた値を設定する設定ステップと、
前記設定ステップにより設定される値に基づいて、前記同種の要素によって構成される生体図形の造形データを生成する生成ステップと、
を実行させるためのプログラム。
【請求項１３】
体の状態を示す生体情報を取得する取得ステップと、
図形の外観を構成する同種の要素ごとに異なる生体情報を対応付ける対応付ステップと、
前記取得ステップにより取得される生体情報に対応付けられた同種の要素に対して当該生体情報の大きさに応じた値を設定する設定ステップと、
前記設定ステップにより設定される値に基づいて、前記同種の要素によって構成される生体図形の造形データを生成する生成ステップと、
を含むことを特徴とする生体情報処理方法。
【発明の詳細な説明】
【技術分野】
【０００１】
本発明は、生体情報処理に関し、生体情報を造形物の造形データに変換する生体情報処理装置、生体情報処理方法及びプログラムに関する。
【背景技術】
【０００２】
生体情報を測定する装置として、測定した生体インピーダンスから体脂肪率、ＢＭＩ（Body Mass Index）、脂肪・筋肉の分布を求め、その数値をグラフィック表示するものが提案されている（例えば、特許文献１参照）。
【先行技術文献】
【特許文献】
【０００３】
【特許文献１】特開２００４−０８１６２１号公報
【発明の概要】
【発明が解決しようとする課題】
【０００４】
上述のような装置は、体脂肪率やＢＭＩなどの生体情報の数値をそのまま表示しているに過ぎず、具体的な数値を除き被測定者に対して自分だけの特有の情報を与えるような表示ではないため、被測定者にとっては自身の生体情報の測定に対する興味がわきにくいという問題があった。
【０００５】
本発明は、このような問題点に着目してなされたものであり、生体情報の測定結果に対して関心を持たせる生体情報処理装置、生体情報処理方法及びプログラムを提供することを目的とする。
【課題を解決するための手段】
【０００６】
本発明のある態様によれば、生体情報処理装置は、体の状態を示す生体情報を取得する取得手段と、図形の外観を構成する同種の要素ごとに異なる生体情報を対応付ける対応付手段とを備える。そして生体情報処理装置は、取得手段により取得される生体情報に対応付けられた同種の要素に対して当該生体情報の大きさに応じた相互に異なる値を設定する設定手段と、設定手段により設定される値に基づいて前記同種の要素によって構成される生体図形の造形データを生成する生成手段とを含むことを特徴とする。
【発明の効果】
【０００７】
この態様によれば、１つの生体情報の変化により生体図形の外観を全体的に変えることができるので、生体情報の数値に応じて生成される生体図形の造形データによって造形される造形物に固有の特徴が表れ易くなる。したがって、測定結果として自分だけの特有の情報を被測定者に与えやすくなるので、生体情報の測定結果に対して被測定者に関心を持たせることができる。
【図面の簡単な説明】
【０００８】
【図１】図１は、本発明の第１実施形態における生体情報処理装置を備える生体測定装置、通信端末及び造形装置の外観を示す図である。
【図２Ａ】図２Ａは、本実施形態における生体測定装置の機能構成例を示すブロック図である。
【図２Ｂ】図２Ｂは、本実施形態における通信端末の機能構成例を示すブロック図である。
【図３】図３は、本実施形態における生体図形処理により生成された生体図形の一例を示す図である。
【図４】図４は、生体測定装置による生体情報の処理方法の一例を示すフローチャートである。
【図５】図５は、生体図形処理についての処理手順例を示すフローチャートである。
【図６】図６は、１つの生体情報を用いて生体図形の外観を変更するための図形変換テーブルの一例を示す図である。
【図７】図７は、生体情報に関する統計データに基づいて生体図形を段階的に変更するためのステップ幅を設定する例を説明する図である。
【図８】図８は、生体情報である基礎代謝量と生体図形を構成する図形要素である色との関係を示す図である。
【図９】図９は、生体情報である内臓脂肪レベルと図形要素である複数の放出物の大きさとの関係を示す図である。
【図１０】図１０は、生体情報である筋肉量と図形要素である面の数との関係を示す図である。
【図１１】図１１は、生体情報であるボディバランスと図形要素である頂点の位置との関係を示す図である。
【図１２】図１２は、本実施形態における生体図形の表示画像の一例を示す図である。
【発明を実施するための形態】
【０００９】
以下、添付図面を参照しながら本発明の実施形態について説明する。
【００１０】
（第１実施形態）
図１は、本発明の第１実施形態における生体測定装置１０、通信端末２０及び造形装置５０の外観を示す図である。
【００１１】
生体測定装置１０は、被測定者の体の健康状態を示す生体情報を測定する装置である。本実施形態の生体情報としては、生体測定装置１０にて被測定者を直接測定することにより得られる生体情報と、被測定者の入力操作により得られる生体情報と、これらの生体情報を所定の回帰式で演算することにより得られる生体情報とが挙げられる。
【００１２】
生体測定装置１０は、電源スイッチ１と、体重を計測する体重計２と、両足の生体インピーダンスを計測するための電極部３及び４と、両手の生体インピーダンスを計測するための電極部５及び６と、表示操作装置７と、通信装置８と、印刷装置９とを備える。
【００１３】
体重計２には、被測定者の両足を載せる載台面に両足の各底面が接触するように電極部３及び４が配置されている。電極部３及び４は、被測定者の左右の足にそれぞれ電流を流すための電極３ａ及び４ａと、両足の電圧を測定するための電極３ｂ及び４ｂとにより構成される。また、電極部５及び６の各々についても、被測定者の左右の手にそれぞれ電流を流すための第１電極と、両手の電圧を測定するための第２電極とにより構成される。
【００１４】
表示操作装置７は、被測定者の身長、年齢、性別などの基礎生体情報を入力可能な操作部１０１（図２参照）と、被測定者に測定結果を表示する表示部１０７（図２参照）とを備えている。表示操作装置７は、例えば、タッチパネル式の液晶表示装置により実現される。
【００１５】
通信装置８は、通信装置８と通信端末２０との間で通信を行う。例えば、通信装置８は、近距離無線通信や携帯電話網などを用いて通信を行う。本実施形態の通信装置８は、生体測定装置１０にて得られた生体情報を通信端末２０に送信する。
【００１６】
通信端末２０は、近距離無線通信や携帯電話網などを用いて通信を行う携帯端末である。本実施形態の通信端末２０は、通信装置８から送信された生体情報を受信し、受信した生体情報に基づいて画面２１に測定結果を表示する。
【００１７】
造形装置５０は、いずれも図示しない、造形データに基づいて造形物を造形する造形部と、近距離無線通信や携帯電話網などを用いて通信を行う通信部と、を備える。造形装置５０は、通信部を介して生体測定装置１０の通信装置８及び通信端末２０と通信を行い、造形データを受信する。造形装置５０は、例えば、３Ｄプリンタ、菓子等の食品製造装置又はサプリメントの製造装置等である。
【００１８】
図２Ａは、本実施形態における生体測定装置１０の主要な機能構成を示すブロック図である。
【００１９】
生体測定装置１０は、操作部１０１と、測定部１０２と、生体情報演算部１０３と、記憶部１０４と、送信部１０５と、生体図形処理部１０６と、表示部１０７と、制御部１０８とを備える。
【００２０】
操作部１０１は、電源スイッチ１をＯＮ又はＯＦＦに切り替える操作を受け付ける。また、操作部１０１は、被測定者の操作により設定された基礎生体情報を受け付ける。操作部１０１には、例えば、タッチセンサや、ボタン、ダイヤルなどにより情報が入力される。
【００２１】
測定部１０２は、体重計２を用いて被測定者の体重を測定する。さらに測定部１０２は、電極部３乃至６を用いて被測定者の生体インピーダンスを測定する。
【００２２】
生体情報演算部１０３は、測定部１０２で測定された体重及び生体インピーダンスや、操作部１０１で入力された身長、年齢及び性別などの基礎生体情報を所定の回帰式に適用して他の生体情報を演算する。他の生体情報としては、例えば、全身及び全身の各部位ごとの脂肪率、脂肪量、除脂肪量、筋肉量、内臓脂肪量、内臓脂肪レベル、内臓脂肪面積、皮下脂肪量、基礎代謝量、骨量、体水分率、水分量、ＢＭＩ（Body Mass Index）、細胞内液量、細胞外液量、ボディバランスなどの生体指標が挙げられる。なお、本実施形態では生体指標ごとに１つの生体情報が割り当てられている。
【００２３】
記憶部１０４は、不揮発性メモリ（ＲＯＭ；Read Only Memory）や揮発性メモリ（ＲＡＭ；Random Access Memory）などにより構成される。記憶部１０４には、生体測定装置１０の動作を制御する制御プログラムが格納されている。記憶部１０４は、本実施形態の機能を実現するプログラムを格納する記録媒体である。
【００２４】
記憶部１０４は、操作部１０１に入力された基礎生体情報や、測定部１０２で測定された体重及び生体インピーダンス、生体情報演算部１０３で所定の回帰式を用いて算出された演算結果を生体情報として時間情報と関連付けて記憶する。さらに記憶部１０４は、生体情報を被測定者の健康状態を表わす生体図形に変換するための図形変換テーブルを記憶する。
【００２５】
送信部１０５は、被測定者の健康状態を通知するために、記憶部１０４に記憶された生体情報を、通信装置８を介して通信端末２０に送信する。通信端末２０に送信される生体情報としては、例えば、体重、身長、全身及び各部位ごとの脂肪率、脂肪量、除脂肪量、筋肉量、内臓脂肪レベル、皮下脂肪量、基礎代謝量、骨量、体水分率、ＢＭＩなどが挙げられる。
【００２６】
生体図形処理部１０６は、表示部１０７に表示するための生体情報を取得すると、記憶部１０４に記憶された図形変換テーブルを参照して、取得した生体情報の数値ごとに異なる外観となる生体図形を生成する。生体図形処理部１０６は、生成した生体図形を表示部１０７に表示するための図形表示データを生成する。また、生体図形処理部１０６は、生成した生体図形を表す造形物を造形するための造形データを生成する。なお、生体図形処理部１０６は、生体情報処理装置に相当する。
【００２７】
表示部１０７は、記憶部１０４に記憶された生体情報や生体図形などを表示する表示手段である。
【００２８】
制御部１０８は、中央演算処理装置（ＣＰＵ；Central Processing Unit）と、入力インターフェースと、これらを相互に接続するバスと、により構成される。制御部１０８は、記憶部１０４に格納されている制御プログラムを読み出して中央演算処理装置に実行させることにより、入力インターフェースを介して生体測定装置１０の各部を制御する。
【００２９】
本実施形態の制御部１０８は、操作部１０１、測定部１０２、生体情報演算部１０３、記憶部１０４、送信部１０５、生体図形処理部１０６、及び表示部１０７の各々を制御する。本実施形態の制御部１０８は、操作部１０１、測定部１０２及び生体情報演算部１０３から生体情報を取得し、その生体情報の数値に応じて生体図形の外観を変更する。
【００３０】
図２Ｂは、本実施形態における通信端末２０の主要な機能構成を示すブロック図である。
【００３１】
通信端末２０は、送信部１０５から送信された生体情報に基づいて生体図形を生成し、生体図形の造形データ及び表示データを生成する。通信端末２０は、操作部２０１と、生体情報受信部２０２と、図形変換情報記憶部２０３と、生体図形処理部２０４と、表示部２０５と、制御部２０６と、送信部２０７とを備える。
【００３２】
操作部２０１は、使用者の入力操作を受け付ける。本実施形態の操作部２０１は、例えば、生体測定装置１０からの生体情報の受信を指示する操作を受け付ける。
【００３３】
生体情報受信部２０２は、生体測定装置１０の送信部１０５と通信を行い、送信部１０５から送信された生体情報を受信する。
【００３４】
図形変換情報記憶部２０３は、不揮発性メモリ（ＲＯＭ；Read Only Memory）や揮発性メモリ（ＲＡＭ；Random Access Memory）などにより構成される。図形変換情報記憶部２０３には、通信端末２０の動作を制御する制御プログラムが格納されている。図形変換情報記憶部２０３は、本実施形態の機能を実現するプログラムを格納する記録媒体である。
【００３５】
本実施形態の図形変換情報記憶部２０３は、受信された生体情報を記憶するとともに、生体測定装置１０の記憶部１０４と同じように図形変換テーブルを記憶する。図形変換テーブルは、図形変換情報記憶部２０３にあらかじめ記憶されている。なお、生体測定装置１０から生体情報とともに図形変換テーブルを受信するようにしてもよい。
【００３６】
生体図形処理部２０４は、生体測定装置１０の生体図形処理部１０６と同様の構成である。本実施形態において、生体図形処理部２０４は、図形変換情報記憶部２０３に記憶された生体情報の全部又は一部を取得し、１つの生体情報ごとに図形変換テーブルを参照して、図形表示データを生成する。また、生体図形処理部２０４は、図形変換情報記憶部２０３に記憶された生体情報の全部又は一部を取得し、１つの生体情報ごとに図形変換テーブルを参照して、生体図形を表す造形物を造形するための造形データを生成する。なお、生体図形処理部２０４は、生体情報処理装置に相当する。
【００３７】
表示部２０５は、図形表示データにより生成される生体図形と、図形変換情報記憶部２０３に記憶された複数の生体情報の数値とを所定の形式で表示する表示手段である。
【００３８】
制御部２０６は、中央演算処理装置（ＣＰＵ）と、入力インターフェースと、これらを相互に接続するバスと、から構成される。制御部２０６は、図形変換情報記憶部２０３に格納されている制御プログラムを読み出して中央演算処理装置に実行させることにより、入力インターフェースを介して通信端末２０の各部を制御する。
【００３９】
送信部２０７は、造形装置５０の通信部と通信を行い、生体図形処理部２０４が生成した造形データを造形装置５０に送信する。
【００４０】
本実施形態の制御部２０６は、操作部２０１、生体情報受信部２０２、図形変換情報記憶部２０３、生体図形処理部２０４及び表示部２０５の各々を制御する。本実施形態の制御部２０６は、生体図形処理部２０４により生成された図形表示データに基づいて、４つの生体情報の数値を外観に反映した生体図形を表示部２０５に表示させる。本実施形態の制御部２０６は、生体図形処理部２０４により生成された造形データを、送信部２０７に送信させる。
【００４１】
図３は、図形変換テーブルを参照して生体情報に応じて生成される生体図形の一例を示す図である。
【００４２】
図３には生体図形Ａが示されており、生体図形Ａは、多面体３０と、多面体３０の中心（重心）から放射される複数の球体４１乃至４３とにより構成される。
【００４３】
この例においては、多面体３０が青色に着色され、球体４１乃至４３の各々が白色に着色されている。球体４１については大部分が多面体３０から露出し、球体４２については半分が多面体３０から露出し、球体４３については先端部分が多面体３０から露出している。
【００４４】
生体図形Ａにおいては、第１の生体情報の数値に応じて多面体３０の色が変化し、第２の生体情報の数値に応じて球体４１乃至４３の大きさが変化する。また、第３の生体情報の数値に応じて多面体３０の面数が増減する。
【００４５】
このように本実施形態においては、多面体３０における色の階調や、面の一群、頂点の一群、複数の球体４０などの生体図形Ａを構成する同種の要素の各々を、各々異なる一つの生体情報の数値に応じて変化させる。このように、生体情報の数値ごとに生体図形Ａの外観及び輪郭が変化するので、生体図形Ａの造形データに基づいて造形される造形物は、被測定者だけのユニークな生体図形Ａを表す。このため、被測定者に対して生体情報の測定に関心を持たせることができるようになる。
【００４６】
図４は、本実施形態における生体測定装置１０の制御方法の処理手順例を示すフローチャートである。
【００４７】
まず、生体測定装置１０の電源スイッチ１がＯＮに設定されると、ステップＳ１において制御部１０８は、電源ＯＮの操作ありと判断する。
【００４８】
ステップＳ２において制御部１０８は、電源スイッチ１、体重計２、電極部３乃至６、表示操作装置７、通信装置８及び印刷装置９の各々を初期化する。
【００４９】
ステップＳ３において制御部１０８は、表示部１０７を制御して着衣の重さの入力を求めるメッセージを表示操作装置７に表示し、被測定者によって入力された着衣の重さを操作部１０１から取得する。
【００５０】
ステップＳ４において制御部１０８は、測定部１０２を制御して被測定者の重さを測定する。そして制御部１０８は、表示部１０７を制御して、測定値から着衣の重さを減じた数値を被測定者の体重として表示操作装置７に表示する。制御部１０８は、その体重を生体情報として記憶部１０４に記録する。
【００５１】
ステップＳ５において制御部１０８は、表示部１０７を制御して被測定者の性別や、年齢、身長などの基礎生体情報の入力を求めるメッセージを表示操作装置７に表示し、被測定者によって入力された基礎生体情報を操作部１０１から取得する。制御部１０８は、被測定者の基礎生体情報を生体情報として記憶部１０４に記録する。
【００５２】
なお、生体測定装置１０に撮像装置を備えて被測定者の顔を撮像し、撮像された顔画像データに一般的な顔認識処理を施し、その処理により得られる被測定者の性別、年齢、身長などを基礎生体情報として用いるようにしてもよい。
【００５３】
ステップＳ６において制御部１０８は、測定部１０２を制御して電極３ａから電極４ａに交流電流を供給し、この状態で電極３ｂと電極４ｂとの間の電圧を検出する。そして測定部１０２は、供給した電流値、及び検出した電圧値に基づいて右足、左足の生体インピーダンスを算出する。同様に、測定部１０２は、電極部５における第１電極から電極部６における第１電極に交流電流を供給し、この状態で電極部５及び６における第２電極間の電圧を検出する。そして測定部１０２は、供給した電流値、及び検出した電圧値に基づいて右手、左手の生体インピーダンスを算出する。
【００５４】
このように測定部１０２は、右足、左足、右手及び左手の各部位、並びに全身の生体インピーダンスを算出する。制御部１０８は、算出した全身及び各部位ごとの生体インピーダンスを記憶部１０４に記録する。
【００５５】
ステップＳ７において制御部１０８は、生体情報演算部１０３を用いて、体重、全身及び各部位ごとの生体インピーダンス、身長、年齢及び性別などの基礎生体情報を所定の回帰式に適用して、表示部１０７に表示される生体情報を演算する。
【００５６】
本実施形態における生体情報演算部１０３は、基礎代謝量や、全身の筋肉量、内臓脂肪レベル、身体の左右のバランスの崩れ度合いを示すボディバランスなどを生体情報として算出する。生体情報演算部１０３は、身体における左側の筋肉量と右側の筋肉量との差分又は比率に基づいてボディバランスを算出する。例えば、生体情報演算部１０３は、右腕及び右足の筋肉量から左腕及び左足の筋肉量を減じた値を、右足筋肉量と左足筋肉量の平均値により除してボディバランスを算出する。制御部１０８は、生体情報演算部１０３により算出された演算結果を生体情報として記憶部１０４に記録する。
【００５７】
ステップＳ８において制御部１０８は、表示部１０７を制御して、記憶部１０４に時間情報と関係付けて記憶された生体情報の全部又は一部を表示操作装置７に表示する。また、制御部１０８は、今回の測定結果を通信端末２０に送信するか否かを問合せるメッセージを表示する。そして制御部１０８は、測定結果の送信を求める旨の入力を操作部１０１から受け付けると、送信部１０５を制御して時間情報と関連付けられた生体情報を通信装置８から通信端末２０に送信する。
【００５８】
ステップＳ９において制御部１０８は、生体図形処理部１０６を用いて、記憶部１０４に記憶された生体情報と上述の図形変換テーブルとに基づいて、図３に示したような生体図形Ａの造形データ及び表示データを生成する。この処理の詳細については後で図５乃至図１２を参照して詳細に説明する。
【００５９】
ステップＳ１０において制御部１０８は、表示部１０７を制御して表示データにより生成される生体図形を表示操作装置７に表示する。
【００６０】
ステップＳ１１において制御部１０８は、印刷装置９を制御して、生体情報の数値や生体図形を示す評価データを印刷する。その後、生体測定装置１０の制御方法についての一連の処理が終了する。
【００６１】
ステップＳ１２において制御部１０８は、通信装置８を制御して、ステップＳ９で生成した造形データを送信する。なお、ステップＳ１２の処理は、使用者の入力に応じて実行される。
【００６２】
図５は、ステップＳ９で実行される生体図形処理についての処理手順例を示すフローチャートである。
【００６３】
ステップＳ９１において生体図形処理部１０６は、生体図形の生成に必要となる複数の生体情報を取得する。すなわち、生体図形処理部１０６は、体の状態を示す生体情報を取得する取得手段を構成する。本実施形態の生体図形処理部１０６は、記憶部１０４に記憶された生体情報のうち４つの生体情報として、基礎代謝量、内臓脂肪レベル、筋肉量、及びボディバランスを抽出する。
【００６４】
上述の生体情報のうち、基礎代謝量は、除脂肪量、体重及び年齢に相関する。内臓脂肪レベルは、内臓周りの脂肪レベルであり、脂肪量、身長及び年齢に相関する。筋肉量は、骨格筋及び水分を含む筋肉組成の質量であり、除脂肪量及び骨塩量に相関する。ボディバランスは、身体における左右の腕及び足の筋肉量の差分から身体のバランスを評価する生体指標である。
【００６５】
ステップＳ９２において生体図形処理部１０６は、生体図形の外観を構成するための図形要素テーブルと生体情報とが一対一で対応付けられた図形変換テーブルを記憶部１０４から取得する。そして生体図形処理部１０６は、図形変換テーブルのうちステップＳ９１で取得した生体情報の各々に対応する図形要素テーブルをそれぞれ参照する。すなわち、生体図形処理部１０６は、生体図形の外観を構成する図形要素ごとに異なる生体情報を対応付ける対応付手段を構成する。図形変換テーブルについては後で次図を参照して説明する。
【００６６】
ステップＳ９３において生体図形処理部１０６は、１つの生体情報ごとに、その生体情報に対応付けられた図形要素の値を、その生体情報の数値に応じて変更する。すなわち生体図形処理部１０６は、生体情報に対応付けられた図形要素に対して、その生体情報の大きさに応じた互いに異なる値を設定する設定手段を構成する。
【００６７】
ステップＳ９４において生体図形処理部１０６は、４つの生体情報に対応する図形要素の各値を含む生体図形を生成する。すなわち、生体図形処理部１０６は、図形要素に設定された値に基づいて、図形要素によって構成される生体図形の造形データ及び表示データを生成する生成手段を構成する。その後、生体図形処理についての一連の処理が終了する。
【００６８】
なお、ステップＳ９で実行される生体図形処理は、通信端末２０の生体図形処理部２０４においても同様に行われる。すなわち、記憶部１０４及び図形変換情報記憶部２０３には、生体図形処理をコンピュータが実行可能なプログラムが記憶されている。また、本実施形態では生体測定装置１０が生体図形処理を実行する例について説明したが、ステップＳ９の生体図形処理については通信端末２０とは異なる他のコンピュータ、例えば通信端末２０と携帯電話網を介して接続される外部サーバで実行してもよい。
【００６９】
例えば、生体測定装置１０は、生体図形処理がプログラムされた中央演算処理装置（ＣＰＵ）と図形変換テーブルが記憶された記憶装置とを備えるマイクロコンピュータに接続される。マイクロコンピュータは、生体測定装置１０にて測定された生体情報を受信すると、図形変換テーブルを参照して生体情報の数値に基づき生体図形の造形データ及び表示データを生成し、生成した造形データ及び表示データを生体測定装置１０に送信する。このように他のマイクロコンピュータに対して生体図形処理を実行させるようにしてもよい。
【００７０】
また、ステップＳ１２で実行される造形データの送信処理は、通信端末２０の生体図形処理部２０４においても同様に行われる。すなわち、使用者の通信端末２０の操作部２０１に対する操作入力に応じて、生体図形処理部２０４によって生成された造形データが送信される。
【００７１】
図６は、記憶部１０４に記憶される図形変換テーブル１０４Ａの一例を示す観念図である。図形変換テーブル１０４Ａには、４つの生体情報に対応する図形要素テーブルＴ１乃至Ｔ４が格納されている。
【００７２】
第１図形要素テーブルＴ１には、１つの生体情報である基礎代謝量Ｍｅと、生体図形を構成する多面体の色の階調とが互いに対応付けられている。基礎代謝量Ｍｅの下限値ｕＬＬから上限値ｕＨＬまでの変動範囲内において、基礎代謝量Ｍｅの数値が区切ｕ１乃至ｕｎを段階的に上回るたびに色の階調Ａ１乃至Ａｎが単調に増加又は減少する。ステップ数ｎは正数であり、ステップ数ｎが大きくなるにつれて多面体の色が連続的に変化する。ステップ数ｎは、例えば２５６に設定される。
【００７３】
第２図形要素テーブルＴ２には、生体情報である内臓脂肪レベルＦｌと、生体図形を構成する球体の大きさとが互いに対応付けられている。内臓脂肪レベルＦｌの下限値ｖＬＬから上限値ｖＨＬまでの変動範囲内において、内臓脂肪レベルＦｌの数値が区切ｖ１乃至ｖｎを段階的に上回るたびに球体の大きさＢ１乃至Ｂｎが単調に増加又は減少する。
【００７４】
第３図形要素テーブルＴ３には、生体情報である筋肉量Ｍｕと、生体図形の外観を構成する多面体の面の数とが互いに対応付けられている。筋肉量Ｍｕの下限値ｗＬＬから上限値ｗＨＬまでの変動範囲内において、筋肉量Ｍｕの数値が区切ｗ１乃至ｗｎを段階的に上回るたびに面の数Ｃ１乃至Ｃｎが単調に増加又は減少する。
【００７５】
第４図形要素テーブルＴ４には、生体情報であるボディバランスＢａと、生体図形の外観を構成する各頂点の基準位置からのずれ量とが互いに対応付けられている。ボディバランスＢａの下限値ｘＬＬから上限値ｘＨＬまでの変動範囲内において、ボディバランスＢａの数値が区切ｘ１乃至ｘｎを段階的に上回るたびに頂点の基準位置からのずれ量Ｄ１乃至Ｄｎが単調に増加又は減少する。
【００７６】
このように、上述の図形変換テーブル１０４Ａが記憶部１０４に記憶されている。すなわち、記憶部１０４は、１つの生体情報ごとに、その生体情報の数値と、図形要素に設定される値とが互いに対応付けられた図形要素テーブルＴ１乃至Ｔ４を記憶する記憶手段を構成する。
【００７７】
そして、生体図形処理部１０６は、生体情報を取得すると、記憶部１０４に記憶された複数の図形要素テーブルＴ１乃至Ｔ４を参照し、これらのテーブルのうち取得した生体情報に対応する図形要素テーブルを特定（選択）する。そして生体図形処理部１０６は、特定した図形要素テーブルに基づいて、取得した生体情報の数値に対応付けられた値を生体図形の生成に必要となる図形要素に設定する。このように生体図形処理部１０６は、記憶部１０４に記憶された図形変換テーブル１０４Ａを用いて造形データ及び表示データを生成することにより、４つの生体情報の数値に応じて１つの生体図形の外観が複雑に変化するので、被測定者だけのユニークな生体図形の外観を生成しやすくなる。
【００７８】
図７は、第１図形要素テーブルＴ１における各区切ｕ１乃至ｕｎの設定手法の一例を示す図である。図７には、生体情報の数値に対する人数の分布が示されており、横軸が基礎代謝量Ｍｅの各区間（各領域）を示し、縦軸が各区間の人数を示す。図７に示す正規分布曲線Ｓは、基礎代謝量Ｍｅの統計データから抽出した下限値、中央値、上限値に基づいて演算したものである。
【００７９】
図７に示すように、正規分布曲線Ｓの分布度数が大きくなるほど（中央値に近づくほど）、生体情報の範囲を示すステップ幅が小さな値に設定され、分布度数が小さくなるほど（上限値または下限値に近づくほど）、ステップ幅は大きな値に設定される。例えば、各区間のステップ幅は、ステップ幅と人数の積が一定の値となるように設定される。
【００８０】
このように、生体情報である基礎代謝量Ｍｅの数値がその生体情報の大きさに応じた人数分布の中央値に近づくほど、ステップ幅は小さな値に設定される。これにより、各区間のステップ幅を同一の値に設定する場合に比べて、基礎代謝量Ｍｅが中央値付近である被測定者に対して、基礎代謝量Ｍｅのわずかな差で外観の異なる生体図形を提供することができる。
【００８１】
すなわち、生体情報の数値が特定の値に近づくほど、生体情報の数値の変化量に対する図形要素に設定される変化量を大きくすることにより、生体図形の外観の変化度合いが大きくなる。したがって、被測定者に対して一人ひとり異なる特有の生体図形を提供することが可能になる。なお、第２図形要素テーブルＴ２、第３図形要素テーブルＴ３、及び第４図形要素テーブルＴ４についても同様の手法により、各区切り（ｖ１乃至ｖｎ、ｗ１乃至ｗｎ、およびｘ１乃至ｘｎ）が設定される。
【００８２】
なお、本実施形態では、上述のステップ幅を変更する基準として生体情報の各領域における人数分布の中央値を用いた例を説明した。しかしながら、中央値に代えて平均値、最頻値、偏差、及び標準偏差などの統計量が用いられてもよい。このような他の統計量を用いたとしても、生体情報の数値が頻出しやすい区間を推定することができるので、多数の被測定者に同一の生体図形が割り当てられてしまうという事態を低減することができる。
【００８３】
次に、本実施形態における図形要素ごとに生体図形の外観を変更する手法について図８乃至図１１を参照して説明する。
【００８４】
図８は、本実施形態における基礎代謝量の数値に応じた生体図形の外観の変化を示す図である。
【００８５】
図８に示すように、基礎代謝量Ｍｅを示す生体情報は、生体図形を構成する多面体３０の色の階調Ａを変化させる生体指標である。本実施形態では、生体図形処理部１０６及び２０４が、基礎代謝量Ｍｅの数値が小さくなるほど多面体３０の色を緑色から青色に変化させ、数値が大きくなるほど多面体３０の色を緑色から赤色に変化させる。
【００８６】
このように、基礎代謝量Ｍｅの数値が大きくなるほど多面体３０の色を赤くすることにより、生体図形を見た被測定者に対して、脂肪を燃焼させやすい体質であるという印象を与えられるので、基礎代謝量Ｍｅが高いことを直感的に理解させることができる。一方、基礎代謝量Ｍｅの数値が小さくなるほど多面体３０を青くすることにより、脂肪を燃焼させにくい体質であるという印象を与えられるので、被測定者に対して基礎代謝量Ｍｅが低いことを直感的に理解させることができる。
【００８７】
すなわち、基礎代謝量Ｍｅの数値が大きくなるほど生体図形の色を青から赤に変化させることにより、被測定者は、生体図形の色自体から基礎代謝量Ｍｅの程度を観念できるので、自身の基礎代謝量Ｍｅを直感的に把握することが可能になる。
【００８８】
また、基礎代謝量Ｍｅの数値に応じて生体図形の色を変化させることにより、被測定者は生体図形の外観の変化を容易に認識することができ、他人の生体図形との差異を認識しやすくなる。このため、被測定者に対して自身の健康状態を表わした生体図形が自分だけの固有なものであるという印象を与え易くなる。
【００８９】
図９は、本実施形態における内臓脂肪レベルＦｌの数値に応じた生体図形の外観の変化を示す図である。
【００９０】
図９に示すように、内臓脂肪レベルＦｌを示す生体情報は、多面体３０の中心から放射される所定数の白色の球体４０の大きさＢを変化させる生体指標である。本実施形態では、生体図形処理部１０６及び２０４が、内臓脂肪レベルＦｌの数値が小さくなるほど球体４０の直径を小さくし、数値が大きくなるほど球体４０の直径を大きくする。このような場合には、図６に示した球の大きさＢ１乃至Ｂｎについては、Ｂ１からＢｎに向かって球の大きさＢが大きくなるように設定される。
【００９１】
このように、内臓脂肪レベルＦｌに応じて球体４０の大きさＢを変化させることでも、被測定者は生体図形の外観の変化を容易に認識することができ、他人の生体図形との差異が認識しやすくなる。よって、被測定者に対して自身の健康状態を表わした特徴的な図形であるという印象を与え易くなる。また、被測定者は、球体４０の大きさ自体から内臓脂肪レベルＦｌの程度を観念することができるので、自身の内臓脂肪レベルＦｌを直感的に把握することが可能になる。
【００９２】
なお、本実施形態では球体４０の直径を変化させる例について説明したが、これに限られるものではない。例えば、球体４０の数量を増やしてもよいし、所定数の球体４０の直径があらかじめ定められた閾値を上回った場合にのみ球体４０の数量を増やすようにしてもよい。
【００９３】
また、本実施形態では多面体３０から放出された後の球体４０の直径は変更されていないが、多面体３０の面から球体４０が離れるほど、球体４０の大きさＢを徐々に小さくするようにしてもよい。あるいは、内臓脂肪レベルＦｌの数値に応じて球体４０の色を変更してもよく、例えば、内臓脂肪レベルＦｌの数値が小さくなるほど球体４０の白色の透明度を高くし、数値が大きくなるほど球体４０の白色の透明度を低くする。
【００９４】
さらに、本実施形態では多面体３０の内部から複数の球体４０が放射されたが、球体４０を放出させることなく多面体３０の面に半分だけ複数の球体４０を付着させるようにしてもよい。この場合においては内臓脂肪レベルＦｌの数値に応じて、多面体３０を構成する複数の面のうち球体４０を付着させる面を他の面に変更させるようにしてもよい。
【００９５】
図１０は、本実施形態における筋肉量Ｍｕの数値に応じた生体図形の外観の変化を示す図である。
【００９６】
図１０に示すように、筋肉量Ｍｕを示す生体情報は、多面体３０の面数Ｃを変化させる生体指標である。本実施形態では、生体図形処理部１０６及び２０４が、筋肉量Ｍｕの数値が小さくなるほど多面体３０の面数Ｃを少なくし、数値が大きくなるほど多面体３０の面数Ｃを多くする。このため、図６に示した面の数Ｃ１乃至Ｃｎについては、Ｃ１からＣｎに向かって面数Ｃの値が大きくなるように設定される。
【００９７】
このように、筋肉量Ｍｕに応じて多面体３０の面数Ｃを変化させることでも、生体図形の外形全体が変化し、他人の生体図形との差異が認識しやすくなるので、被測定者に対して生体図形が自分だけの健康状態を表わした固有のものであるという印象を与え易くなる。さらに筋肉量Ｍｕの数値が大きくなるほど多面体３０の面数Ｃが増加するため、生体図形の形状が複雑になり、被測定者だけのユニークな生体図形を生成しやすくなる。
【００９８】
具体的には、多面体３０の面数Ｃが増えることで特定の面上に頂点が新たに追加されることになり、特定の面に凸部が形成されることになる。そして生体情報の数値がさらに大きくなって面数Ｃが増加すると、凸部がさらに変形するので、生体図形の形状が複雑になる。このように、生体情報の数値に応じて多面体３０の特定の面に形成される凸部を変形させることにより、生体図形をユニークな形状に生成するこができる。
【００９９】
また、筋肉量Ｍｕの数値を多面体３０の面数Ｃに対応付けることにより、被測定者は、多面体３０の面数Ｃから筋肉量Ｍｕの程度を観念することができるので、自身の筋肉量Ｍｕを直感的に把握することが可能になる。
【０１００】
図１１は、本実施形態におけるボディバランスの数値に応じた生体図形の外観の変化を示す図である。
【０１０１】
図１１に示すように、ボディバランスＢａを示す生体情報は、多面体３０の各頂点３２の位置を変化させる生体指標である。本実施形態のボディバランスＢａは、正の値だけでなく負の値もとり得る。ボディバランスＢａの数値が０（ゼロ）である場合には、ボディバランスＢａが良い状態であり、数値が０から離れるほどボディバランスＢａが悪い状態であることを示す。
【０１０２】
ここでは、ボディバランスＢａの数値が０である場合において、多面体３０の中心点（重心）３１から各頂点３２までの距離を同一の固定値とし、これらの頂点の位置を基準位置とする。そして生体図形処理部１０６及び２０４は、ボディバランスＢａの数値の絶対値が小さくなるほど、基準位置からの頂点のずれ量Ｄを小さくし、絶対値が大きくなるほど頂点のずれ量Ｄを大きくする。この場合、図６に示した頂点のずれ量Ｄ１乃至Ｄｎについては、Ｄ１から段階的に０まで小さくなり、０から段階的にＤｎまで大きくなるようにずれ量Ｄが設定される。
【０１０３】
本実施形態においては、多面体３０の各頂点３２には、それぞれ異なる係数が設定されている。そのため、多面体３０の各頂点３２は、ボディバランスＢａの数値に基づいて定まる基準位置からのずれ量Ｄに、各係数を掛けた後のずれ量だけ基準位置から位置がずれる。
【０１０４】
このように、ボディバランスＢａの数値に応じて各頂点３２の基準位置からのずれ量を変化させることにより、生体図形の外形全体が変わるので、被測定者に対して生体図形がユニークなものであるという印象を与え易くなる。また、ボディバランスＢａの数値の絶対値が大きくなるほど、多面体３０の凹凸が大きくなるので、被測定者に対して生体図形が全体的に歪んでいるという印象を与えることができる。このため、被測定者は、多面体３０の凹凸が大きさから自身のボディバランスがどの程度悪いのかを観念することができるので、自身のボディバランスを直感的に把握することが可能になる。
【０１０５】
このように、生体情報の数値に応じて多面体３０に形成される凹凸の度合いを変化させることにより、生体図形をユニークな形状に形成するこができるとともに、被測定者に対して生体情報の良し悪しを直感的に把握させることができる。
【０１０６】
なお、本実施形態では多面体３０の各頂点３２が、ボディバランスＢａの数値に基づいて定まる基準位置からのずれ量Ｄに、各係数を掛けた後のずれ量だけ基準位置から位置がずれる例について説明したが、多面体３０の形状が歪むように頂点３２の位置を変更すればよく、これに限られるものではない。例えば、各頂点３２に異なる係数を設定することなく、各頂点３２の位置から基準位置までの距離の総和がボディバランスＢａの数値に基づいて定まる基準位置からのずれ量Ｄとなるように各頂点３２を基準位置から自由に移動させるようにしてもよい。
【０１０７】
また、多面体３０における互いに隣接する特定の頂点３２については、一方の頂点３２の移動方向に対して正反対の向きに他方の頂点３２を移動させるようにしてもよい。これにより、多面体３０の凹凸が大きくなり、生体図形が全体的に歪んでいるような印象を与えやすくなる。
【０１０８】
図１２は、本実施形態における４つの生体情報に基づいて生成された生体図形Ｂ及びＣを説明する図である。図１２には、測定結果が比較的近い２つの生体図形Ｂ及びＣが示されている。
【０１０９】
図１２（ａ）に示すように、生体図形Ｂについては、多面体３０の色は緑色であり、球体４０の直径は比較的大きく、多面体３０の面数は比較的少なく、多面体３０の歪みは比較的大きい。このような外観を構成することにより、例えば、基礎代謝量Ｍｅが中程度であり、内臓脂肪レベルＦｌが高く、筋肉量Ｍｕは少なく、ボディバランスＢａは悪いという印象を被測定者に与えることができる。
【０１１０】
一方、図１２（ｂ）に示すように、生体図形Ｃについては、多面体３０の色は赤色であり、球体４０の直径は中程度であり、多面体３０の面数は比較的多く、多面体３０の歪みは比較的大きい。このような外観を構成することにより、例えば、基礎代謝量Ｍｅが大きく、内臓脂肪レベルＦｌが中程度であり、筋肉量Ｍｕは多く、ボディバランスＢａが悪いという印象を被測定者に与えることができる。
【０１１１】
このように、測定された生体情報の数値を図形全体で表現することにより、被測定者は測定結果を生体図形の外観全体から直感的に把握することができるようになる。また、被測定者は、内臓脂肪レベルの数値などを直接見ずに済むのでこれらの数値を見ることで生じる嫌な気持ちを避けることができる。したがって、生体情報の測定に対しての被測定者の前向きな気持ちが減退するのを軽減することができる。
【０１１２】
また、４つの生体情報の数値を１つの生体図形の互いに異なる図形要素にそれぞれ反映することで、被測定者は生体図形全体から自身の総合的な健康状態の評価を直感的に把握することができる。これに加えて、被測定者は一目で４つの生体情報の測定結果の程度又は傾向を把握することができる。なお、ここにいう図形要素とは、生体図形を構成する色の種類や、複数の球体のサイズ、全ての面の数などの図形全体の外観を構成する同種の要素のことである。
【０１１３】
さらに、生体図形Ｂと生体図形Ｃを比較して分かるように、被測定者の一人ひとりに対して自分だけの特有の生体図形が生成されることになるので、被測定者は生体情報の測定が面白いと感じ易くなり、生体情報の測定に対する関心を高めることができる。また、生成された造形データに基づいて造形された造形物は自分だけの特有の生体図形を表している。そのため、被測定者は自分だけの特有の生体図形を表わす造形物を手に触れることができるため、生体情報の測定に対する関心をより一層高めることが期待できる。さらに、造形装置５０がサプリメントを造形物として造形するサプリメントの製造装置であれば、被測定者は自分だけの特有の生体図形を表わすサプリメントを摂取することができる。そのため、被測定者は、自身の体の状態（健康状態）を表すサプリメントを摂取することができるため、サプリメントの摂取を習慣付けやすくなり、自身の健康維持に対する意識を高める効果が期待できる。加えて、このようなサプリメントの製造装置を、生体情報に応じて成分配合が決定されるように構成することによって、被測定者はサプリメントを摂取する効果が直感的に把握しやすくなり、自身の健康維持に対する意識をさらに高める効果が期待できる。
【０１１４】
＜変形例＞
なお、本実施形態では生体測定装置１０の生体情報演算部１０３により算出された生体情報に基づいて生体図形Ａ乃至Ｃを生成する例について説明したが、生体図形処理部１０６及び２０４が被測定者の属性情報を用いて生体図形Ａ乃至Ｃの外観の基調を変更してもよい。属性情報としては、身長、年齢、性別などの基礎生体情報、被測定者の居住地の情報、被測定者が測定した時間やその時点の天気情報等とすることができる。属性情報は、
操作部１０１等により設定すればよい。
【０１１５】
例えば、属性情報に示された性別が女性である場合には、多面体３０のサイズを若干小さくしたり、多面体３０の頂点部分を丸くしたり、多面体３０の色を薄くしたり、生体図形の動きを滑らかにする。一方、性別が男性である場合には、多面体３０のサイズを若干大きくしたり、多面体３０の凹凸を所定の量だけ増やしたり、多面体３０の色を濃くしたりする。
【０１１６】
あるいは、属性情報に示された年齢や身長に応じて多面体３０のサイズを変更したり、属性情報に示された被測定者の居住地情報に応じて、例えば、北海道地域は生体図形を構成する背景色を白色、中部地域は背景色を緑色、九州地域は背景色を青色に変更したりする。または、被測定者が測定した時間情報や天気情報に応じて背景色を観念しやすい色に変更するようにしてもよい。
【０１１７】
このように、生体図形処理部１０６及び２０４は、被測定者の属性情報に応じて生体図形の外観の基調を変更するようにしてもよい。これにより、一人ひとり異なるユニークな生体図形が生成されやすくなるので、被測定者は生体情報の測定を楽しく行えるようになる。
【０１１８】
また、本実施形態では、図形要素テーブルＴ１乃至Ｔ４を格納した図形変換テーブル１０４Ａを記憶し、生体図形処理部１０６は、取得した生体情報の各々に対応する図形要素テーブルを参照し（対応付け）、対応付けられた図形要素の値を、その生体情報の数値に応じた値に設定する例について説明したが、図形変換テーブル１０４Ａを記憶させずに、生体情報の各々に対応した図形変換用の演算式を記憶させるようにしてもよい。この場合、取得した生体情報の各々に対応する図形要素変換用の演算式を参照し（対応付け）、対応付けられた図形要素の値を、その演算式を用いて演算して設定することができる。なお、このように、図形要素変換用の演算式を用いる場合においても、図形変換テーブルを用いる場合と同様、生体情報の統計データに基づいて、正規分布曲線Ｓの分布度数が大きくなるほど（中央値に近づくほど）、ステップ幅が小さな値に設定され、分布度数が小さくなるほど（上限値または下限値に近づくほど）、ステップ幅は大きな値に設定されるようにすることができる。
【０１１９】
本発明の第１実施形態によれば、通信端末２０の生体図形処理部２０４は、生体情報処理装置を構成する。そして生体図形処理部２０４は、体の状態を示す生体情報を取得し、図形を構成する複数の要素のうち図形の外観を構成する同種の要素ごとに異なる生体情報を対応付ける。そして生体図形処理部２０４は、取得した生体情報に対応付けられた同種の要素に対してその生体情報の大きさに応じた互いに異なる値を設定し、設定した値に基づいて、同種の要素によって構成される生体図形の造形データ及び表示データを生成する。なお、生体測定装置１０の生体図形処理部１０６も同様の処理を行う。
【０１２０】
このように、生体図形処理部２０４は、１つの生体情報に対して生体図形を構成する色の種類や、複数の球体４０、多面体３０を構成する面の数、複数の頂点の基準位置からのずれ量などの同種の要素を割り当てる。これにより、生体情報の数値に応じて生体図形の外観全体が変化するので、他人との生体図形の違いが認識しやすくなり、被測定者に対して自分だけの特有の生体図形であるという印象を与えることができる。さらに、生体図形を用いて生体情報の数値を表現することにより、被測定者が自身の数値を直接見る場合に比べて嫌な気分になるのを抑制することができる。
【０１２１】
また、本実施形態によれば、生体図形処理部２０４は、生体図形の外観を構成する同種の要素のうち生体図形の外形を構成する外形要素、例えば多面体３０の面数Ｃや頂点の基準位置からのずれ量Ｄなどを生体情報に対応付ける。そして生体図形処理部２０４は、その外形要素に対応する生体情報の数値に応じた互いに異なる値を外形要素に設定することにより、生体図形の外形を段階的に変更することができる。これにより、被測定者に対して他人の生体図形とは異なる固有の生体図形を提供することができるとともに、被測定者は、自身の生体情報の数値が良いか悪いかの判断を行うことが可能になる。
【０１２２】
また、本実施形態によれば、生体図形処理部２０４は、生体情報の数値が特定の値に近づくほど、生体情報の数値の変化量に対する、同種の要素に設定される値の変化量を大きくする。これにより、生体情報の数値が特定の値に近づくほど生体図形の変化度合いが大きくなる。このため、被測定者等に認識させることを意図する基礎代謝量や内臓脂肪レベルなどの生体情報の種類ごとに特定の値を設定することで、この特定の値の近傍において被測定者の生体情報の数値が異なる場合、その差が比較的小さいとしても生体図形の外観が比較的大きく変化することとなる。
【０１２３】
例えば、生体情報の数値の発生頻度が高くなる特定の値近傍において生体図形の外観の変化度合いを大きくすることが可能になるので、生体情報の数値が集中しやすい数値範囲において被測定者ごとに異なる外観の生体図形を生成しやすくなる。なお、特定の値としては、生体情報の数値に対する人数の分布の中央値や、平均値、最頻値などが挙げられる。
【０１２４】
また、本実施形態によれば、図８に示したように、生体情報の数値範囲を示す所定のステップ幅は、生体情報に関する統計データに基づいて定められる。生体図形処理部２０４は、生体情報の大きさに応じて、所定のステップ幅ごとに同種の要素に設定される値を変更する。これにより、生体情報の数値が集中しやすい区間を特定できるので、その区間のステップ幅を細かくすることができる。よって、生体情報の数値が集中しやすい区間であっても生体図形の外観を変更することが可能になる。
【０１２５】
また、本実施形態によれば、図７に示したように、ステップ幅は、生体情報が統計分布の中央値又は平均値に近づくほど小さな値に設定される。これにより、各区間のステップ幅を同一に設定する場合に比べて、同一の生体図形が生成される確率を低減することができる。よって、被測定者の一人ひとりに対し同一の生体図形を生成するのを抑制することができる。
【０１２６】
また、本実施形態によれば、生体図形の外観を構成する同種の要素として、多面体３０における色の種類、面数、頂点の変位量、又は、多面体３０から放出される複数の放出物が用いられる。このような同種の要素の数量を変更することにより、生体図形の外観全体が変化するので、他人の生体図形との違いが認識しやすくなり、被測定者に対して自分だけの生体図形であるとの印象を与えることができる。
【０１２７】
なお、多面体３０を構成する各辺の長さを同種の要素としてもよい。この場合においても各辺の長さを変更することにより、生体図形の外観全体を変化させることができる。また、多面体３０から放出される複数の放出物としては、例えば、球体４０や、立方体、円錐体などが挙げられる。
【０１２８】
また、本実施形態によれば、図６に示したように、生体情報の各々は、身体の基礎代謝量Ｍｅ、内臓脂肪レベルＦｌ、筋肉量Ｍｕ及びボディバランスＢａである。そして、生体図形の外観全体を形成する同種の要素は、多面体３０の色の種類を示す階調Ａ、面の数Ｃ、頂点の基準位置からのずれ量Ｄ、及び、多面体３０から放出される複数の球体４０の大きさＢである。そして生体図形処理部２０４は、基礎代謝量Ｍｅを多面体３０の色の階調Ａに対応付けし、内臓脂肪レベルＦｌを球体４０の大きさＢに対応付けし、筋肉量Ｍｕを多面体３０の面数Ｃに対応付けし、ボディバランスＢａを多面体３０における頂点の基準位置からのずれ量Ｄに対応付ける。
【０１２９】
このように、４つの生体情報の数値を１つの生体図形における互いに異なる同種の要素にそれぞれ反映することで、図３及び図１２に示したように、被測定者は生体図形全体の外観から自身の総合的な健康状態の評価を直感的に把握することができる。
【０１３０】
また、本実施形態によれば、図６に示したように、図形変換情報記憶部２０３は、生体情報の数値と、同種の要素に設定される値とが互いに対応付けられた図形要素テーブルＴ１乃至Ｔ４を生体情報ごとに記憶する。そして、生体図形処理部２０４は、生体情報を取得すると、図形変換情報記憶部２０３に記憶された図形要素テーブルＴ１乃至Ｔ４を参照し、図形要素テーブルＴ１乃至Ｔ４のうち取得した生体情報に対応する図形要素テーブルを特定する。生体図形処理部２０４は、特定した図形要素テーブルに基づいて、取得した生体情報の数値に対応付けられた値を同種の要素に設定する。
【０１３１】
このように、生体情報ごとの図形要素テーブルＴ１乃至Ｔ４を用いることにより、演算式を用いて図形要素の値を演算する場合に比べて、演算負荷を低減しつつ生体情報を生体図形に変換することができる。
【０１３２】
以上、本発明の実施形態について説明したが、上記実施形態は本発明の適用例の一部を示したに過ぎず、本発明の技術的範囲を上記実施形態の具体的構成に限定する趣旨ではない。
【０１３３】
例えば、上記実施形態では１つの生体情報で生体図形の外観全体を変える図形要素として、生体図形の色の階調Ａ、球体の大きさＢ、多面体の面数Ｃ、頂点の基準位置からのずれ量Ｄが用いられたが、これに限られるものではない。例えば、図形要素として多面体３０を構成する複数の辺の各々を変形してもよい。この場合には、例えば脂肪量Ｆが大きくなるほど多面体３０における各辺の曲線を外部に向かって大きくし、脂肪量Ｆが小さくなり過ぎると各辺の曲率を内部に向かって大きくする。このように複数の辺を変形しても、１つの生体情報で生体図形の全体を変更することができる。
【０１３４】
あるいは、図形要素として多面体３０に複数の孔を形成するようにしてもよい。この場合には、例えば生体情報の１つである骨量Ｂｏが所定の閾値よりも小さくなるほど多面体３０に形成される孔の数又は各孔のサイズを増加させる。このように複数の孔を形成することにより、生体図形の全体形状を変更することができる。
【０１３５】
また、上記実施形態では図６に示した図形変換テーブルを用いて生体情報と生体図形の図形要素とを対応付けたが、例えば、生体図形処理部２０４が生体情報を取得した場合に、互いに異なる複数の図形要素のうち１つの図形要素をランダムに割り当てるようにしてもよい。このような場合には、例えば、生体図形処理部２０４は、撮像装置にて撮像された顔画像データと、前回の生体情報に割り当てた図形要素とを関係付けて図形変換情報記憶部２０３に記憶しておき、顔画像データが一致する被測定者に対して、前回割り当てた図形要素を今回の生体情報にも対応付ける。このようにすることで、生体情報と図形要素との対応関係が被測定者ごとに変わるので、被測定者の一人ひとりに対して異なる生体図形の造形データを生成することができる。
【０１３６】
また、上記実施形態では生体図形に用いられる生体情報として基礎代謝量、内臓脂肪レベル、筋肉量及びボディバランスが用いられたが、体重や、体脂肪率、骨量、肥満度などの生体情報が用いられてもよい。
【０１３７】
また、上記実施形態では生体図形として３次元の立体図形が用いられたが、２次元の図形が用いられてもよい。この場合にも、生体図形処理部２０４は、上記実施形態と同様、基礎代謝量Ｍｅが大きくなるほど赤色にし、筋肉量Ｍｕが多くなるほど多角形の頂点の数を増やし、内臓脂肪レベルＦｌが高くなるほど多角形に付着させる円の数を増やし、ボディバランスＢａが悪くなるほど多角形の頂点の基準位置からのずれ量を大きくするようにしてもよい。この場合であっても上記実施形態と同様の作用効果を得ることができる。
【符号の説明】
【０１３８】
１０  生体測定装置（生体情報処理装置）
２０  通信端末（生体情報処理装置）
５０  造形装置
１０１、２０１  操作部
１０２  測定部
１０３  生体情報演算部
１０４  記憶部（プログラム、対応付手段、記憶手段）
１０５  送信部
１０６、２０４  生体図形処理部（取得手段、対応付手段、設定手段、生成手段）
１０７、２０５  表示部（表示手段）
１０８、２０６  制御部
２０２  生体情報受信部
２０３  図形変換情報記憶部（プログラム、対応付手段、記憶手段）
２０７  送信部
Ｓ９１〜Ｓ９４  （取得ステップ、対応付ステップ、設定ステップ、生成ステップ）
【図１】
2019107300.tif 000003
【図２Ａ】
2019107300.tif 000004
【図２Ｂ】
2019107300.tif 000005
【図３】
2019107300.tif 000006
【図４】
2019107300.tif 000007
【図５】
2019107300.tif 000008
【図６】
2019107300.tif 000009
【図７】
2019107300.tif 000010
【図８】
2019107300.tif 000011
【図９】
2019107300.tif 000012
【図１０】
2019107300.tif 000013
【図１１】
2019107300.tif 000014
【図１２】
2019107300.tif 000015